(57)【要約】【課題】従来下衣のウェストサイズ調整方法は、ウェストの一部区間で調整していて、サイズ調整幅が小さく、外観を損なうおそれがあった。【解決手段】ウェスト部の内側に、互いに距離を隔てて２個以上の紐通し用ループを取り付けて、調整紐をループに通して往復させて、ウェストサイズに合わせて結んで、調整紐が体のウェスト部に圧着する構成とした。これにより、調整幅が大きく、下衣のウェスト部の内側で調整するので外観を損なうことがない。また、伸縮紐にすると、時と場合によって異なったフィット感を出することができる。【選択図】  図３
2014084546.tif 000002
【特許請求の範囲】
【請求項１】
下衣本体のウェスト部の内側の周方向に、互いに距離を隔てて２個以上取り付けられた、ウェストサイズを調整する紐を通すための紐通し用ループを備えていることを特徴とする下衣。
【請求項２】
前記ウェストサイズを調節する紐は、少なくとも２個の前記紐通し用ループに通されており、前記下衣をはいた場合、ウェスト部に圧着するようになっていることを特徴とする請求項１に記載の下衣。
【請求項３】
前記紐通し用ループは、ウェスト部の内側の裏面側に取り付けられており、前記紐通し用ループが取り付けられた箇所には、それぞれ紐通し用ループを引き出すための出口孔が設けてあり、前記紐通し用ループの先頭部分は、前記出口孔から前記ウェスト部の表面側に突き出ていることを特徴とする請求項１記載の下衣。
【請求項４】
前記ウェストサイズを調整する紐は、伸縮性の紐であることを特徴とする請求項２又は３に記載の下衣。
【発明の詳細な説明】
【技術分野】
【０００１】
本発明は、下衣に関する。
【背景技術】
【０００２】
従来の下衣のウェストサイズ調整方法は、脇の上端部に調整手段を設ける方法、またはゴムベルトを作って既存のベルト通しを利用する方法があった。（登録実用新案第3147400号, 登録実用新案第3048862号,特開2006-144207参照）
【先行技術文献】
【特許文献】
【０００３】
【特許文献１】登録実用新案第３１４７４００号公報
【特許文献２】登録実用新案第３０４８８６２号公報
【特許文献３】特開２００６−１４４２０７号公報
【発明の概要】
【発明が解決しようとする課題】
【０００４】
以上に述べた従来の下衣のウェストサイズ調整方法では、ウェストの一部区間で調整するのでサイズ調整幅が小さく、外観を損なう恐れもあった。
【０００５】
本発明は、このような従来の方法が有していた問題を解決しようとするもので、外観を損なわないで大幅にサイズ調整ができる下衣を提供することを目的とするものである。
【課題を解決するための手段】
【０００６】
そして、本発明は上記目的を達成するために、下衣本体のウェスト部の内側の周方向に、互いに距離を隔てて２個以上取り付けられた、ウェストサイズを調整する紐を通すための紐通し用ループを備えていることを特徴とする。
また、前記ウェストサイズを調節する紐は、少なくとも２個の前記紐通し用ループに通されており、前記下衣をはいた場合、ウェスト部に圧着するようになっていることを特徴とする。
また、前記紐通し用ループは、ウェスト部の内側の裏面側に取り付けられており、前記紐通し用ループが取り付けられた箇所には、それぞれ紐通し用ループを引き出すための出口孔が設けてあり、前記紐通し用ループの先頭部分は、前記出口孔から前記ウェスト部の表面側に突き出ていることを特徴とする。
また、前記ウェストサイズを調整する紐は、伸縮性の紐であることを特徴とする。
【０００７】
上記の課題解決手段による作用は次の通りである。すなわち、サイズ調整用の紐の一端をウェスト部の内側に取り付けられた２箇所以上の紐通し用ループに順次通して往復させて他端と結ぶ。この時、環状となった紐の周長は、紐の一端と他端とをどこの位置で結ぶかによって自由に変化することになる。従って、制限なくサイズ調節ができ、紐がない部分はズボンのウェスト部分で押さえて、紐がある部分はウェストサイズに合った紐がウェストに圧着するようになる。
また、サイズ調節はウェスト部内側で行われるので、下衣そのものの外観は変わらず着用時の外観を損なうこともない。
【発明の効果】
【０００８】
上述したように本発明によれば、サイズ調節はウェスト部の内側で行われるので、下衣そのものの外観は変わらず、着用時の外観を損なうこともない。
また、サイズ調整用の紐を２箇所以上の適宜の紐通し用ループに通し、両側部の位置にある紐通し用ループ間の紐の長さを調整することによってサイズ調整をしているので、サイズ調整の自由度が大きい。
また、必ずしも全周で調節する必要がなく、体型や調整の大きさ等を考慮して、調整部位を自由に選択して、例えば後ろ部分だけ又は脇部分だけで調整することもできる。
また、市販品によくあるウェスト部全周に通された紐を結ぶ方法の場合、脱着の度に紐を結んだり解いたりの煩わしさがあった。前明きの下衣を身に着けての急を要するトイレタイムの際は特に、前明き部分の開け閉めの動作の他に、紐を結んだり解いたりする手間もかかり、大変不便だった。
本発明で伸縮紐にした場合、サイズ調整してない時と取り立てて変わったことはなく、紐を結んだり解いたりの煩わしさがなくなり便利になった。
また、紐通し用ループを設けてさえおけば、必要な時だけ必要な人が自前の紐を使ってサイズ調整ができる。
【図面の簡単な説明】
【０００９】
【図１】本発明に係る下衣の斜め上からの斜視図
【図２】本発明に係る下衣を上から見た図
【図３】ウェスト全周でサイズ調節場合の、下衣を上から見た図
【図４】ウェスト後部でサイズ調節する場合の、下衣を上から見た図
【図５】紐通し用ループの出口孔を設けた時の拡大図
【発明を実施するための形態】
【００１０】
以下、本発明の実施の形態を図１〜図４に基づいて説明する。
【００１１】
図１〜図４は本発明の実施例に係り、図１は本発明に係る下衣の斜め上からの斜視図、図２は本発明に係る下衣を上から見た図、図３はウェスト全周でサイズ調節場合の、下衣を上から見た図、図４はウェスト後部でサイズ調節する場合の、下衣を上から見た図である。
【００１２】
図１〜図４においては、１〜９は紐通し用ループ、１０は下衣裏側ウェスト部、１１は調整用の紐である。
【実施例１】
【００１３】
以下、上記実施例の作用効果を図３に基づいて説明する。
【００１４】
まず、前明きの下衣を全周で調整する場合を説明する。
下衣前中心から少し距離を隔てた左右のウェスト部分の両側部にループ１及び２、下衣の後ろ中心部の下端部にループ３、左右の脇線上の下端部にループ４及び５、ループ１とループ２の中間にループ６、ループ２とループ５の中間にループ７、ループ３とループ４の中間にループ８、ループ３とループ５の中間にループ９を設ける。
【００１５】
ウェストサイズを調整する紐の一端を、紐通し用ループ１→６→４→８→３→９→５→７→２に順次通して往復させてループ１に戻り他端と結ぶ。
この時、紐通し用ループの内少なくともループ１とループ２の２つは、ウェスト部のサイズ調節したい区間の両側部の位置に取り付けられているようにする。紐は少なくともこの両側部の２つのループに通されていれば途中何個に通されていてもよく、ウェスト部の内側を通るようになっている。
この時、環状となった紐の周長は、紐の一端と他端とをどこの位置で結ぶかによって自由に変化することになる。よって、紐で制限なくサイズ調節ができ、これにより、紐でウェストサイズに合わせて調整可能になっている。下衣をはいた場合、紐がない部分はズボンのウェスト部分で押さえて、紐がある部分はウェストサイズに合った紐がウェストに圧着するようになる。
また、紐を環状にする方法は、紐の一端を１つ目のループ１に通して他端と先をそろえて二重にし、二重のままループ６→４→８→３→９→５→７とウェスト部を一周させて、ループ２に紐の一端を通して他端と結んで環状とすることもできる。
また、サイズ調整は、紐の両端をウェストサイズに合わせてそれぞれループ１及び２に結ぶ方法でもよい。
【００１６】
紐通し用ループもウェスト部の内側に設けられていて、このループに紐を通してサイズを調整しているので、下衣自体の外観や下衣をはいた時の外観も全く変化がない。
【００１７】
特に子ども用スーツの下衣の場合、従来サスペンダーで対応するしかなかった。トイレタイムの度にブレザーを脱がせて、サスペンダーを肩から下ろしたりサスペンダーを取り外したりしなければならないので、かなりの手間暇と面倒さがあった。この方法で紐に伸縮性の紐を使った場合、最初に紐をウェストサイズに調整するだけで、サイズ調整していない普通の下衣と同じようになる。トイレタイムの際も何の手間暇も面倒さもなくなる。
【００１８】
ウェスト全体にゴムが入った下衣でゴムの劣化等によってウェストが伸び切ってしまったら廃棄処分されていたものが、この方法で蘇りエコ対策にも一役買うことができる。
【００１９】
サイズ調整幅が大きく、ウェスト部分を締め付けなので、特に作業用の下衣やスポーツ用等に最適である。
【００２０】
夏場、下衣のウェスト部全体が体に圧着して熱気がこもったり、汗で蒸れたり痒くなったりして不快感を抱くことがよくある。しかし、本願は体に密着するのは紐であり、紐とウェスト部との間に隙間ができる。よって、本願の下衣は、下衣の中の熱気がすき間から抜けるようになり涼しくさせる。
【００２１】
上着衣をズボンの中に入れた場合、上着衣が時間とともにめくれ出て見苦しくなることがよくある。
しかし、本願の下衣は紐がウェストに圧着することで、紐とウェストで上着衣を動き難くすることができる。よって、シャツがズボンの外に出てきにくくなって、いつでもシャキッとした身構えが維持できる。
【００２２】
女性用の脇や後ろが開いたスカートにも、紐とループによる調整を応用することができる。
また、紐の位置を腰高にしたりヒップボーンにしたりしてスカートやスラックス丈の調整を行うこともできる。
【００２３】
ジャンパースカート等のウェスト部分に、紐とループによる調整を応用すると、色んなデザインに変化できるので一着で色々楽しむことができる。
【００２４】
次に、下衣の後ろ半分で調整する場合を図４に基づいて説明する。
ウェストサイズを調整する紐の一端を、紐通し用ループ４→８→３→９→５に順次通して往復させてループ４に戻り他端と結ぶ。その他は（００１５）と同様である。
また、紐を環状にする方法は、紐の一端を１つ目のループ４に通して他端と先をそろえて紐を二重にし、二重のままループ８→３→９と通し、ループ５に紐の一端を通して他端と結んで環状となすこともできる。
また、サイズ調整は、紐の両端をウェストサイズに合わせてそれぞれループ４及び５に結ぶ方法でもよい。
【００２５】
この場合、調整が比較的少なくて体型やデザイン等を考慮して選択することができる。
特に女性用の体の線にぴったりしたものではなく柔らかい生地のゆったりしたデザインの場合に最適である。
【００２６】
次に、下衣の両脇部で調整する場合を説明する。
ウェストサイズを調整する紐の一端を、紐通し用ループ６→４→８に順次通して往復させてループ６に戻り他端と結ぶ。また、紐通し用ループ７→５→９に順次通して往復させてループ７に戻り他端と結ぶ。その他は（００１５）と同様である。
また、紐を環状にする方法は、紐の一端を１つ目のループ６に通して他端と先をそろえて紐を二重にし、二重のままループ４に通し、ループ８に紐の一端を通して他端と結んで環状となすこともできる。もう一方の脇についても同様にして環状とする。
また、サイズ調整は、紐の両端をウェストサイズに合わせてそれぞれループ６及び８に結ぶ方法でもよい。もう一方の脇についても同様にしてサイズを調整する。
【００２７】
この場合、調整が比較的少なくて体型やデザインを考慮して選択することができる。
特に女性用の体の線にぴったりしたものではなく柔らかい生地のゆったりしたデザインの場合に最適である。
【００２８】
紐通し用ループもウェスト部の内側に設けられていて、調整紐もウェスト部の内側を通っているので、下衣自体の外観や下衣をはいた場合の外観も全く変化がない。
【００２９】
上述の通り、本願下衣を説明したが、本願の下衣では、紐を伸縮性の紐にしておくと、座ったり体を曲げたりした時の腹部の圧迫感もなくなって快適な履き心地となる。
また、ベルト芯を兼ねたゴムが下衣に使用されている場合、このゴムの劣化等によってウェストが伸び切ってしまったら廃棄処分されていたものが、紐とループによる調整によってこの下衣が蘇り、エコ対策にも一役買うことができる。この場合、ズボンの前中心あたりにボタンホール等で２箇所のループ出口孔を設けて、ウェストを一周させた紐をこのループに引っ掛けて、（００１５）のように調整する。
【００３０】
ループやループを引き出すための出口孔の設置場所、その数、材質等は限定されるものではない。
また、２箇所のループ間に紐を通して環状とする場合は、（００１５）のように往復させる等の適宜な方法でもよい。
また、調整したい区間の両側部に位置する２箇所のループに、ウェストサイズに合わせて紐の両端をそれぞれ結び、サイズ調整してもよい。
また、紐を環状とする方法は、紐の両端を結ぶことに限定されない。
【符号の説明】
【００３１】
１〜９      紐通し用ループ    
１０        ウェスト部の内側
１１        ウェストサイズを調整する紐
１２        下衣本体
１３        紐通し用ループの出口孔
【図１】
2014084546.tif 000003
【図２】
2014084546.tif 000004
【図３】
2014084546.tif 000005
【図４】
2014084546.tif 000006
【図５】
2014084546.tif 000007
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
下衣本体のウェスト部の内側の周方向に、互いに距離を隔てて２個以上取り付けられた紐通し用ループと、
当該紐通し用ループに通されるサイズ調整用の伸縮紐とを備え、
前記紐通し用ループの少なくとも２つは、前記ウェスト部の調整したい区間の両側部の位置にそれぞれ取り付けられており、
前記伸縮紐は少なくともこれら２つの紐通し用ループを含む適時箇所の紐通し用ループ間を往復して通されて、
前記伸縮紐の一端と他端とを結ぶことにより、ウェストに合わせて調整可能に形成されており、
前記下衣本体をはいた場合、前記伸縮紐がウェストに圧着するようになっていることを特徴とする下衣。
【請求項２】
前記紐通し用ループは、前記ウェスト部の内側の裏面側に取り付けられており、前記紐通し用ループが取り付けられた箇所には、それぞれ紐通し用ループを引き出すための出口孔が設けてあり、前記紐通し用ループの先頭部分が、対応する前記出口孔から前記ウェスト部の表面側に突き出ている請求項１記載の下衣。